(57)【要約】【課題】明るさの不均一を抑制することができる発光装置を提供する。【解決手段】発光装置２０は、複数の第１発光素子２３が直列接続された第１発光素子群であって、アノード端が第１端子２１に電気的に接続され、カソード端が第２端子２２に電気的に接続された第１発光素子群を備える。また、発光装置２０は、複数の第２発光素子２４が直列接続された第２発光素子群であって、カソード端が第１端子２１に電気的に接続され、アノード端が第２端子２２に電気的に接続された第２発光素子群を備える。第１発光素子群及び第２発光素子群は、第１発光素子群の少なくとも一部及び第２発光素子群の少なくとも一部が基板２５上において一方向に沿って配置された発光素子列を１列以上構成する。発光素子列において、第１発光素子２３及び第２発光素子２４は、１つずつ交互に配置される。【選択図】図５
2018010800.tif 000002
【特許請求の範囲】
【請求項１】
交流電力を受ける第１端子及び第２端子と、
複数の第１発光素子が直列接続された第１発光素子群であって、アノード端が前記第１端子に電気的に接続され、カソード端が前記第２端子に電気的に接続された第１発光素子群と、
複数の第２発光素子が直列接続された第２発光素子群であって、カソード端が前記第１端子に電気的に接続され、アノード端が前記第２端子に電気的に接続された第２発光素子群と、
前記第１端子、前記第２端子、前記第１発光素子群、及び、前記第２発光素子群が配置された基板とを備え、
前記第１発光素子群及び前記第２発光素子群は、前記第１発光素子群の少なくとも一部及び前記第２発光素子群の少なくとも一部が前記基板上において一方向に沿って配置された発光素子列を１列以上構成し、
前記発光素子列において、前記第１発光素子及び前記第２発光素子は、１以上の所定個数ずつ交互に配置される
発光装置。
【請求項２】
前記発光素子列は、透光性を有するカバーに向けて光を出射し、
前記発光素子列において、前記第１発光素子及び前記第２発光素子は、１つずつ交互に配置され、
前記発光素子列において隣り合う発光素子の間隔ｘは、前記発光素子列と前記カバーとの距離をＬとすると、
【数１】
2018010800.tif 000005
となる
請求項１に記載の発光装置。
【請求項３】
前記発光素子列は、透光性を有するカバーに向けて光を出射し、
前記発光素子列において、前記第１発光素子及び前記第２発光素子は、１つずつ交互に配置され、
前記発光素子列において隣り合う発光素子の間隔ｘは、前記発光素子列と前記カバーとの距離をＬとすると、
【数２】
2018010800.tif 000006
となる
請求項１に記載の発光装置。
【請求項４】
前記発光素子列において隣り合う発光素子の間隔ｘは、前記基板の厚みをｔとすると、ｘ≧２ｔとなる
請求項１〜３のいずれか１項に記載の発光装置。
【請求項５】
前記基板は、前記一方向を長手方向とする長尺状である
請求項１〜４のいずれか１項に記載の発光装置。
【請求項６】
交流電力を受ける第１受電端子及び第２受電端子と、
発光装置と、
前記発光装置の光出射側を覆う、透光性を有するカバーとを備え、
前記発光装置は、
複数の第１発光素子が直列接続された第１発光素子群であって、アノード端が前記第１受電端子に電気的に接続され、カソード端が前記第２受電端子に電気的に接続された第１発光素子群と、
複数の第２発光素子が直列接続された第２発光素子群であって、カソード端が前記第１受電端子に電気的に接続され、アノード端が前記第２受電端子に電気的に接続された第２発光素子群と、
前記第１発光素子群、及び、前記第２発光素子群が配置された基板とを備え、
前記第１発光素子群及び前記第２発光素子群は、前記第１発光素子群の少なくとも一部及び前記第２発光素子群の少なくとも一部が前記基板上において一方向に沿って配置された発光素子列を１列以上構成し、
前記発光素子列において、前記第１発光素子及び前記第２発光素子は、１以上の所定個数ずつ交互に配置される
照明用光源。
【請求項７】
前記発光素子列において、前記第１発光素子及び前記第２発光素子は、１つずつ交互に配置され、
前記発光素子列において隣り合う発光素子の間隔ｘは、前記発光素子列と前記カバーとの距離をＬとすると、
【数３】
2018010800.tif 000007
となる
請求項６に記載の照明用光源。
【請求項８】
前記発光素子列において、前記第１発光素子及び前記第２発光素子は、１つずつ交互に配置され、
前記発光素子列において隣り合う発光素子の間隔ｘは、前記発光素子列と前記カバーとの距離をＬとすると、
【数４】
2018010800.tif 000008
となる
請求項６に記載の照明用光源。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）などの発光素子を用いた発光装置、及び、これを備える照明用光源に関する。
【背景技術】
【０００２】
ＬＥＤは、高効率及び長寿命であることから、従来から知られる蛍光灯や白熱電球等の各種ランプにおける新しい光源として期待されており、ＬＥＤを用いたランプの研究開発が進められている。例えば、特許文献１には、直管ＬＥＤランプが開示されている。
【先行技術文献】
【特許文献】
【０００３】
【特許文献１】特開２０１４−２２２６７号公報
【発明の概要】
【発明が解決しようとする課題】
【０００４】
ところで、ＬＥＤのような発光素子を用いた発光装置、及び、これを備える照明用光源においては、明るさの不均一を抑制してユーザに与える違和感を低減することが望まれる。
【０００５】
本発明は、明るさの不均一を抑制することができる発光装置及び照明用光源を提供する。
【課題を解決するための手段】
【０００６】
本発明の一態様に係る発光装置は、交流電力を受ける第１端子及び第２端子と、複数の第１発光素子が直列接続された第１発光素子群であって、アノード端が前記第１端子に電気的に接続され、カソード端が前記第２端子に電気的に接続された第１発光素子群と、複数の第２発光素子が直列接続された第２発光素子群であって、カソード端が前記第１端子に電気的に接続され、アノード端が前記第２端子に電気的に接続された第２発光素子群と、前記第１端子、前記第２端子、前記第１発光素子群、及び、前記第２発光素子群が配置された基板とを備え、前記第１発光素子群及び前記第２発光素子群は、前記第１発光素子群の少なくとも一部及び前記第２発光素子群の少なくとも一部が前記基板上において一方向に沿って配置された発光素子列を１列以上構成し、前記発光素子列において、前記第１発光素子及び前記第２発光素子は、１以上の所定個数ずつ交互に配置される。
【０００７】
本発明の一態様に係る照明用光源は、交流電力を受ける第１受電端子及び第２受電端子と、発光装置と、前記発光装置の光出射側を覆う、透光性を有するカバーとを備え、前記発光装置は、複数の第１発光素子が直列接続された第１発光素子群であって、アノード端が前記第１受電端子に電気的に接続され、カソード端が前記第２受電端子に電気的に接続された第１発光素子群と、複数の第２発光素子が直列接続された第２発光素子群であって、カソード端が前記第１受電端子に電気的に接続され、アノード端が前記第２受電端子に電気的に接続された第２発光素子群と、前記第１発光素子群、及び、前記第２発光素子群が配置された基板とを備え、前記第１発光素子群及び前記第２発光素子群は、前記第１発光素子群の少なくとも一部及び前記第２発光素子群の少なくとも一部が前記基板上において一方向に沿って配置された発光素子列を１列以上構成し、前記発光素子列において、前記第１発光素子及び前記第２発光素子は、１以上の所定個数ずつ交互に配置される。
【発明の効果】
【０００８】
本発明によれば、明るさの不均一が抑制された発光装置及び照明用光源が実現される。
【図面の簡単な説明】
【０００９】
【図１】図１は、実施の形態に係る照明装置の構成を示す外観斜視図である。
【図２】図２は、実施の形態に係る照明用光源の外観斜視図である。
【図３】図３は、実施の形態に係る照明用光源の断面図である。
【図４】図４は、実施の形態に係る発光装置の外観斜視図である。
【図５】図５は、実施の形態に係る発光装置の回路構成を示す図である。
【図６】図６は、発光素子列における発光素子の間隔を説明するための図である。
【図７】図７は、発光素子列における発光素子の間隔の別の例を説明するための図である。
【図８】図８は、放熱の観点から定められた発光素子の間隔を説明するための図である。
【図９】図９は、発光素子列において、第１発光素子及び第２発光素子が複数個ずつ交互に配置された発光装置の外観斜視図である。
【図１０】図１０は、複数の発光素子列を有する発光装置の外観斜視図である。
【図１１】図１１は、変形例１に係る照明装置の模式平面図である。
【図１２】図１２は、変形例２に係る照明装置の外観斜視図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略または簡略化される場合がある。
【００１２】
以下の実施の形態の図面においては、Ｚ軸方向は、例えば上下方向（鉛直方向）であり、Ｚ軸＋側は、上側または光出射側と記載される場合がある。また、Ｚ軸−側は、下側と記載される場合がある。また、Ｘ軸方向及びＹ軸方向は、Ｚ軸に垂直な平面（水平面）上において、互いに直交する方向である。
【００１３】
（実施の形態）
［照明装置の構成］
まず、実施の形態に係る照明装置の構成について説明する。図１は、実施の形態に係る照明装置の構成を示す外観斜視図である。
【００１４】
図１に示されるように、照明装置１００は、２つの照明用光源１０と、本体部１１０とを備える。
【００１５】
本体部１１０は、天井に固定具によって取り付けられる。本体部１１０は、照明用光源１０と電気的に接続され、かつ、各々に照明用光源１０が取り付けられる２組のソケット１２０を備える。本体部１１０は、例えばアルミ鋼板をプレス加工等することによって形成することができる。また、本体部１１０の外面は、照明用光源１０が発した光を室内に向けて反射させる反射面となっている。
【００１６】
［照明用光源の構成］
次に、照明用光源１０の構成について説明する。図２は、照明用光源１０の外観斜視図である。図３は、照明用光源１０の断面図である。
【００１７】
図２及び図３に示されるように、照明用光源１０は、直管形蛍光灯の代替照明として使用される直管ＬＥＤランプである。照明用光源１０は、発光装置２０と、カバー３０と、第１口金５１と、第２口金５２と、接着材６０とを備える。以下、各構成要素について詳細に説明する。
【００１８】
まず、カバー３０について説明する。カバー３０は、発光装置２０の少なくとも光出射側を覆う、透光性を有するカバーである。カバー３０は、Ｙ軸方向を高さ方向（長手方向）とする長尺円筒状であり、発光装置２０を収容する筐体としても機能する。また、カバー３０は、照明用光源１０の外郭の一部を構成する。
【００１９】
カバー３０の基材は、例えば、ガラスであるが、ポリカーボネートなどの樹脂材料であってもよい。カバー３０は、非分割型であるが、分割型であってもよい。
【００２０】
カバー３０は、発光装置２０からの光を拡散させるための光拡散機能を有してもよい。これにより、発光装置２０から発せられた光は、カバー３０を通過する際に拡散されるため、照明用光源１０の明るさの均一化が実現される。
【００２１】
例えば、カバー３０の内面及び外面の少なくとも一方には、光拡散膜が形成されてもよい。光拡散膜は、具体的には、シリカや炭酸カルシウム等の光拡散材（微粒子）を含有する乳白色の樹脂材料である。また、カバー３０の内部及び外部の少なくとも一方には、光を拡散するためのレンズ構造が設けられてもよいし、光を拡散するための凹凸構造が設けられてもよいし、光を拡散するためのドットパターンが印刷されてもよい。また、カバー３０の基材に、光拡散材が含まれてもよい。
【００２２】
次に、第１口金５１及び第２口金５２について説明する。第１口金５１及び第２口金５２は、照明用光源１０がソケット１２０を介して給電を受けるために、ソケット１２０に着脱自在に取り付けられる構造体である。第１口金５１及び第２口金５２のそれぞれは、例えば、絶縁性を有する樹脂によって形成される。第１口金５１及び第２口金５２のそれぞれは、略有底円筒形状（キャップ状）であり、第１口金５１は、カバー３０の一方の端部（Ｙ軸＋側の端部）を覆い、第２口金５２は、カバー３０の他方の端部（Ｙ軸−側の端部）を覆う。第１口金５１及び第２口金５２は、例えば、Ｇ１３口金等である。第１口金５１は、第１受電端子４１を有し、第２口金５２は、第２受電端子４２を有する。
【００２３】
第１受電端子４１及び第２受電端子４２のそれぞれは、導電性を有する１組の棒状金属材料によって形成される。第１受電端子４１及び第２受電端子４２は、照明用光源１０の外部から交流電力を受ける。
【００２４】
第１受電端子４１は、本体部１１０に設けられたソケット１２０に装着されることによって、発光装置２０を発光させるための交流電力を本体部１１０から受電する。第２受電端子４２についても同様である。第１受電端子４１は、例えば、正極端子であり、第２受電端子４２は、例えば、負極端子である。なお、第１受電端子４１及び第２受電端子４２が受電する交流電力は、電力系統から供給される交流電力と同様に、例えば、周波数が５０Ｈｚまたは６０Ｈｚの正弦波交流電力である。
【００２５】
このように、照明用光源１０は、両側給電方式であるが、片側給電方式であってもよい。片側給電方式の口金としては、日本電球工業会によって規格化されたＪＥＬ８０１に準拠したＬ形口金が例示される。この場合、第１受電端子４１及び第２受電端子４２の一方は、アースピンまたはアース機能を有しない取り付け用ピンとなる。
【００２６】
［発光装置］
次に、発光装置２０について、図２及び図３に加えて図４及び図５を参照しながら説明する。図４は、発光装置２０の外観斜視図である。図５は、発光装置２０の回路構成を示す図である。なお、図５では、発光装置の外部に設けられた電源である交流電源７０（電力系統）も図示されている。
【００２７】
発光装置２０は、表面実装（ＳＭＤ：Ｓｕｒｆａｃｅ  Ｍｏｕｎｔ  Ｄｅｖｉｃｅ）型の発光モジュールである。発光装置２０は、カバー３０に向けて光を発する。図３に示されるように、発光装置２０は、接着材６０によって、カバー３０の内面に接着される。接着材６０は、例えば、シリコーン樹脂により形成される。接着材６０は、セメントであってもよい。
【００２８】
発光装置２０は、第１端子２１と、第２端子２２と、複数の第１発光素子２３と、複数の第２発光素子２４と、基板２５と、平滑コンデンサ２６ａ及び２６ｂと、ダイオード２７ａ及び２７ｂと、ヒューズ２８とを備える。なお、図４では、平滑コンデンサ２６ａ及び２６ｂ、ダイオード２７ａ及び２７ｂ、並びに、ヒューズ２８の図示は省略されているが、これらの部品は、基板２５に配置（実装）される。
【００２９】
第１端子２１及び第２端子２２は、外部から交流電力を受ける。第１端子２１及び第２端子２２は、発光装置２０が交流電力を受けるために基板２５上に形成された配線パターンである。第１端子２１は、第１受電端子４１に電気的に接続され、第２端子２２は、第２受電端子４２に電気的に接続される。
【００３０】
第１発光素子２３は、ＬＥＤチップと蛍光体とがパッケージ化された、いわゆるＳＭＤ型の発光素子であり、例えば、白色光を発する。第１発光素子２３は、パッケージ２３ａと、ＬＥＤ２３ｂと、封止部材２３ｃとを備える。
【００３１】
パッケージ２３ａは、非透光性樹脂（白樹脂等）で成型された容器であり、逆円錐台形状の凹部（キャビティ）を備える。凹部の内側面は傾斜面であり、ＬＥＤ２３ｂが発する光を上方に反射する。
【００３２】
ＬＥＤ２３ｂは、単色の可視光を発するベアチップであり、ダイアタッチ材（ダイボンド材）によってパッケージ２３ａの凹部の底面にダイボンディング実装されている。ＬＥＤ２３ｂとしては、例えば青色光を発光する青色発光ＬＥＤチップを用いることができる。青色発光ＬＥＤチップとしては、例えばＩｎＧａＮ系の材料によって構成された、中心波長が４４０ｎｍ以上４７０ｎｍ以下の窒化ガリウム系の半導体発光素子を用いることができる。
【００３３】
封止部材２３ｃは、波長変換材である蛍光体を含む蛍光体含有樹脂であって、ＬＥＤ２３ｂが発する光を波長変換し、かつ、ＬＥＤ２３ｂを封止してＬＥＤ２３ｂを保護する。封止部材２３ｃは、パッケージ２３ａの凹部に充填されており、当該凹部の開口面まで封入されている。
【００３４】
封止部材２３ｃは、例えば、透明のシリコーン樹脂を基材として当該基材にＹＡＧ（イットリウム・アルミニウム・ガーネット）系の黄色蛍光体粒子を分散配置させることによって形成される。この場合、黄色蛍光体粒子はＬＥＤ２３ｂが発する青色光によって励起されて黄色光を発するので、封止部材２３ｃからは、励起された黄色光とＬＥＤ２３ｂが発する青色光とが混合することによって白色光が発せられる。なお、封止部材２３ｃは、シリカ等の光拡散材をさらに含有していてもよい。
【００３５】
複数の第１発光素子２３は、基板２５上に配置（実装）され、基板２５上に形成された配線２５ａによって直列接続される。複数の第１発光素子２３の総数は、例えば、３０個程度であるが、２個以上であればよい。以下、直列接続された複数の第１発光素子２３を第１発光素子群とも記載する。第１発光素子群のアノード端は、第１端子２１に電気的に接続され、第１発光素子群のカソード端は、第２端子２２に電気的に接続される。
【００３６】
第２発光素子２４は、第１発光素子２３と同種の（工業製品として実質的に同一の）ＳＭＤ型の発光素子である。つまり、第１発光素子２３が発する光の色及び明るさは、第２発光素子２４が発する光の色及び明るさとほぼ同様である。第２発光素子２４は、交流電力に基づく発光のタイミングが第１発光素子２３と異なる。以下の実施の形態では、第１発光素子２３及び第２発光素子２４のいずれかの意味で、発光素子の用語を使用する。第２発光素子２４の詳細な構成については第１発光素子２３と同様であるため説明が省略される。なお、図４では、第１発光素子２３及び第２発光素子２４の配置を明確にするために第２発光素子２４は、第１発光素子２３よりも濃い色で表現されている。
【００３７】
複数の第２発光素子２４は、基板２５上に配置（実装）され、基板２５上に形成された配線２５ａによって直列接続される。複数の第２発光素子２４の総数は、例えば、３０個程度であるが、２個以上であればよい。以下、直列接続された複数の第２発光素子２４を第２発光素子群とも記載する。第２発光素子群のカソード端は、第１端子２１に電気的に接続され、第２発光素子群のアノード端は、第２端子２２に電気的に接続される。
【００３８】
第１発光素子群及び第２発光素子群は、構造的には１列に配置される。言い換えれば、第１発光素子群及び第２発光素子群は、基板２５上において一方向（所定方向）に沿って配置されることにより１つの発光素子列を構成する。発光素子列における第１発光素子２３及び第２発光素子２４の配置については後述する。なお、発光素子列において、第２発光素子群に含まれる複数の第２発光素子２４の総数は、第１発光素子群に含まれる第１発光素子２３の総数と同一である。
【００３９】
基板２５は、少なくとも上面（第１主面）が絶縁性の材料により構成された、第１発光素子群及び第２発光素子群を実装するための実装用基板である。基板２５は、発光素子列が延びる方向（Ｙ軸方向）を長手方向とする長尺状である。基板２５は、具体的には、Ｙ軸方向を長手方向とする長尺矩形板状である。
【００４０】
基板２５としては、例えば、ガラスコンポジット基板（ＣＥＭ−３等）、ガラスエポキシ基板（ＦＲ−４等）、または、紙フェノールもしくは紙エポキシからなる基板（ＦＲ−１等）が用いられる。メタルベース基板としては、例えば、表面に絶縁膜が形成されたアルミニウム合金基板、鉄合金基板、または、銅合金基板等が用いられる。
【００４１】
基板２５の上面には、第１端子２１、第２端子２２、第１発光素子群、及び、第２発光素子群が配置（実装）される。基板２５の上面は、カバー３０によって覆われている。基板２５の下面（第２主面）は、部分的に接着材６０によってカバー３０の内面に接着されている。
【００４２】
配線２５ａは、タングステン（Ｗ）または銅（Ｃｕ）等からなる金属配線である。配線２５ａは、第１発光素子群を構成する複数の第１発光素子２３同士、及び、第２発光素子群を構成する複数の第２発光素子２４同士を電気的に接続する。また、配線２５ａは、第１発光素子群と、第１端子２１及び第２端子２２とを電気的に接続し、第２発光素子群と、第１端子２１及び第２端子２２とを電気的に接続する。配線２５ａは、所定形状にパターン形成されている。
【００４３】
平滑コンデンサ２６ａ及び２６ｂは、第１端子２１及び第２端子２２に供給される交流電力を平滑化するためのコンデンサである。
【００４４】
ダイオード２７ａは、第１端子２１の電位が第２端子２２の電位よりも低い期間において第１の発光素子群に電流が流れないように整流を行う整流素子である。ダイオード２７ｂは、第１端子２１の電位が第２端子２２の電位よりも高い期間において第２の発光素子群に電流が流れないように整流を行う整流素子である。
【００４５】
ヒューズ２８は、図５に示される回路に過電流が流れた場合に、回路を開放することによって保護する保護素子である。
【００４６】
以上説明した平滑コンデンサ２６ａ及び２６ｂ、ダイオード２７ａ及び２７ｂ、並びに、ヒューズ２８などの回路部品は必須でない。また、上記の回路部品以外に、基板２５上には、抵抗などが配置されてもよい。
【００４７】
なお、発光装置２０は、第１端子２１及び第２端子２２に供給される交流電力を直流電力に変換する回路、及び、第１端子２１及び第２端子２２に供給される交流電力を全波整流する回路を備えない。発光装置２０においては第１端子２１及び第２端子２２に供給される交流電力がそのまま第１発光素子群及び第２発光素子群に与えられる。これにより、回路構成が簡素化される。
【００４８】
［基板上の発光素子の配置］
次に、基板２５上の発光素子の配置について上記図４を参照しながら説明する。図４に示されるように、第１発光素子群及び第２発光素子群は、基板２５上において一方向に沿って配置されることにより１つの発光素子列を構成する。第１発光素子群及び第２発光素子群は、具体的には、基板２５上においてＹ軸方向に延びる直線に沿って配置されることにより１つの直線状の発光素子列を構成する。
【００４９】
上述のように、発光装置２０は、交流電力が供給されることによって発光する。上述のように、第１発光素子群のアノード端は、第１端子２１に電気的に接続され、第１発光素子群のカソード端は、第２端子２２に電気的に接続される。このため、第１発光素子２３は、第１端子２１の電位が第２端子２２の電位よりも高い期間において発光する。同様に、第２発光素子群のカソード端は、第１端子２１に電気的に接続され、第２発光素子群のアノード端は、第２端子２２に電気的に接続される。このため、第２発光素子２４は、第１端子２１の電位が第２端子２２の電位よりも低い期間において発光する。
【００５０】
以上のように第１発光素子２３と第２発光素子２４とは瞬時的には交互に発光している。したがって、基板２５上において、第１発光素子２３が偏って配置されたり、第２発光素子２４が偏って配置されたりすると、瞬時的には明るさが不均一になるため、ユーザに違和感を与えてしまう場合がある。特に、照明装置１００（照明用光源１０または発光装置２０）が長時間使用されたときに、ユーザに不快感を与える可能性がある。
【００５１】
そこで、発光装置２０が有する上記発光素子列において、第１発光素子２３及び第２発光素子２４は、１つずつ交互に配置される。これにより、発光装置２０、及び、これを備える照明用光源１０もしくは照明装置１００は、瞬時的な明るさの不均一を抑制することができ、ユーザに与える違和感を低減することができる。
【００５２】
なお、発光装置２０においては、第１発光素子群の全部及び第２発光素子群の全部が基板２５上において一方向に沿って配置された１列の発光素子列を構成した。しかしながら、第１発光素子群及び第２発光素子群は、基板２５上で複数列に分かれて配置されてもよい。つまり、第１発光素子群及び第２発光素子群は、第１発光素子群の一部及び第２発光素子群の一部が基板２５上において一方向に沿って配置された発光素子列を２列以上構成してもよい。第１発光素子群及び第２発光素子群は、第１発光素子群の少なくとも一部及び第２発光素子群の少なくとも一部が基板２５上において一方向に沿って配置された発光素子列を１列以上構成すればよい。
【００５３】
［発光素子の間隔１］
発光装置２０が有する発光素子列は、カバー３０に向けて光を発し、発光素子列を構成する第１発光素子２３と第２発光素子２４とは瞬時的には交互に発光する。ここで、照明用光源１０においては、第１発光素子２３のみが発光している期間、及び、第２発光素子２４のみが発光している期間のいずれの期間においても、発光素子列が発する光がカバー３０のなるべく全体に照射されるほうがよい。
【００５４】
そこで、発光装置２０では、発光素子列が発する光がカバー３０のなるべく全体に照射されるように発光素子の間隔が定められている。図６は、発光素子列における発光素子の間隔を説明するための図である。
【００５５】
一般的に、第１発光素子２３及び第２発光素子２４のような発光素子（ＬＥＤ素子）の配光角は１２０°である。そうすると、図６に示されるように、第１発光素子２３のみが発光している期間において、発光装置２０が発する光がカバー３０の内面の全体に途切れなく照射されるためには、発光素子列における隣り合う発光素子の間隔ｘは、発光素子列とカバー３０との距離をＬとすると、下記の式１を満たせばよい。なお、間隔ｘは、より具体的には、Ｙ軸方向における、一の発光素子の中心位置から、一の発光素子と隣接する他の発光素子の中心位置までの距離である。発光素子列とカバー３０との距離は、具体的には、Ｚ軸方向における、発光素子の発光中心からカバー３０の内面までの距離である。
【００５６】
【数１】
2018010800.tif 000003
【００５７】
隣り合う発光素子の間隔ｘが上記式１を満たせば、第１発光素子２３のみが発光している期間、及び、第２発光素子２４のみが発光している期間のいずれにおいても、発光装置２０が発する光がカバー３０の全体に途切れなく照射される。したがって、発光装置２０、及び、これを備える照明用光源１０もしくは照明装置１００は、明るさの不均一を抑制することができ、ユーザに与える違和感を低減することができる。
【００５８】
なお、上記の発光素子の間隔ｘは、一例であり、特に限定されるものではない。図７は、発光素子列における発光素子の間隔ｘの別の例を説明するための図である。
【００５９】
図７の例では、図６の例よりもさらに均一な光を得ることができる。図７に示されるように、間隔ｘは、例えば、下記の式２を満たしてもよい。
【００６０】
【数２】
2018010800.tif 000004
【００６１】
間隔ｘがこのような式を満たせば、カバー３０の内面の任意の位置は、第１発光素子２３のみが発光している期間、及び、第２発光素子２４のみが発光している期間のいずれにおいても、少なくとも２つの発光素子によって光が照射される。したがって、発光装置２０、及び、これを備える照明用光源１０もしくは照明装置１００は、十分均一な明るさで発光することができる。
【００６２】
なお、間隔ｘは、放熱の観点から定められてもよい。図８は、放熱の観点から定められた発光素子の間隔を説明するための図である。
【００６３】
一般的に、第１発光素子２３及び第２発光素子２４のような発光素子（ＬＥＤ素子）が発光した場合の輻射熱の広がり角は、熱源（発光点）を中心に９０°である。そうすると、図８に示されるように、基板２５において隣り合う発光素子の輻射熱の重なりを抑制するための間隔ｘは、基板２５の厚みをｔとすると、ｘ≧２ｔであればよい。
【００６４】
間隔ｘがｘ≧２ｔを満たせば、発光装置２０、及び、これを備える照明用光源１０もしくは照明装置１００は、基板２５において隣り合う発光素子の輻射熱の重なりを抑制して効率よく発光させることができる。
【００６５】
［発光装置の変形例］
発光装置２０が有する発光素子列においては、第１発光素子２３及び第２発光素子２４は、１つずつ交互に配置されたが、発光素子列においては、第１発光素子２３及び第２発光素子２４は、１以上の所定個数ずつ交互に配置されればよい。つまり、発光素子列においては、第１発光素子２３及び第２発光素子２４は、複数個（２以上の所定個数）ずつ交互に配置されてもよい。図９は、発光素子列において、第１発光素子２３及び第２発光素子２４が複数個ずつ交互に配置された発光装置の外観斜視図である。
【００６６】
図９に示される発光装置２０ａが有する発光素子列においては、第１発光素子２３及び第２発光素子２４が、２個ずつ交互に配置されている。発光装置２０ａ、及び、これを備える照明用光源１０もしくは照明装置１００は、瞬時的な明るさの不均一が抑制されるため、ユーザに与える違和感を低減することができる。なお、第１発光素子２３と第２発光素子２４とが２以上の所定個数ずつ交互に配置される場合には、当該所定個数は、２〜３個程度（３個以下）の個数であるとよい。
【００６７】
また、発光装置２０は、発光素子列を複数有してもよい。図１０は、複数の発光素子列を有する発光装置の外観斜視図である。
【００６８】
図１０に示される発光装置２０ｂは、各々がＹ軸方向（第１方向）に延びる２つの発光素子列を基板２５上に有する。２つの発光素子列は、Ｙ軸方向と交差するＸ軸方向（第２方向）に並んで配置されている。言い換えれば、基板２５上には、複数の発光素子がマトリクス状に配置されている。２つの発光素子列のそれぞれは、発光装置２０が有する発光素子列と同様の構成である。
【００６９】
発光装置２０と同様に、発光装置２０ｂが有する２つの発光素子列のそれぞれにおいては、Ｙ軸方向において第１発光素子２３及び第２発光素子２４が１つずつ交互に配置されている。さらに、Ｘ軸方向に並んだ２つの発光素子の一方が第１発光素子２３である場合、他方は、第１発光素子２３ではなく第２発光素子２４である。つまり、発光装置２０ｂにおいては、Ｙ軸方向だけでなく、Ｘ軸方向においても第１発光素子２３及び第２発光素子２４が１つずつ交互に配置される。
【００７０】
このような発光装置２０ｂ、及び、これを備える照明用光源もしくは照明装置は、瞬時的な明るさの不均一を抑制することができ、ユーザに与える違和感を低減することができる。
【００７１】
［照明装置の変形例１］
以下、照明装置の変形例１について説明する。図１１は、変形例１に係る照明装置の模式平面図である。
【００７２】
図１１に示される照明装置１００ａが備える本体部１１０ａは、外観上は本体部１１０と同様であるが、ソケットに関する回路接続構造（回路構成、結線）が異なる。なお、照明装置１００ａが備える照明用光源１０ｍ及び１０ｎのそれぞれは、照明用光源１０と同一の構成である。
【００７３】
ソケット１２０ａ及びソケット１２０ｂは、照明用光源１０ｍが取り付けられる１組のソケットである。ここで、本体部１１０ａ内部に配置された回路接続構造（配線またはリード線など）によって、Ｙ軸＋側に位置するソケット１２０ａは、交流電源７０の一方の端子（例えば、ホット極性の端子）が電気的に接続され、Ｙ軸−側にソケット１２０ｂは、交流電源７０の他方の端子（例えば、コールド極性の端子）が電気的に接続される。
【００７４】
ソケット１２０ｃ及びソケット１２０ｄは、もう１つの照明用光源１０ｎが取り付けられる１組のソケットである。ここで、本体部１１０ａ内部の回路接続構造によって、Ｙ軸＋側に位置するソケット１２０ｃは、交流電源７０の他方の端子が電気的に接続され、Ｙ軸−側にソケット１２０ｄは、交流電源７０の一方の端子が電気的に接続される。
【００７５】
このような結線によれば、Ｘ軸方向に並んだ２つの発光素子の一方が第１発光素子２３である場合、他方は、第１発光素子２３ではなく第２発光素子２４となる。言い換えれば、照明用光源１０ｍ及び照明用光源１０ｎに含まれる発光素子のうち、Ｙ軸方向における位置が同じ２つ発光素子（Ｘ軸方向に並んだ２つの発光素子）は、異なるタイミングで発光する。
【００７６】
このように、照明装置１００ａにおいては、Ｙ軸方向だけでなく、Ｘ軸方向においても第１発光素子２３及び第２発光素子２４が１つずつ交互に配置される。したがって、照明装置１００ａは、瞬時的な明るさの不均一を抑制することができ、ユーザに与える違和感を低減することができる。
【００７７】
［照明装置の変形例２］
上記実施の形態で説明された照明装置１００（照明用光源１０）の構成は、一例である。例えば、上記実施の形態では、照明用光源１０は、第１口金５１及び第２口金５２によって本体部１１０に取り付けられたが、照明用光源１０は、コネクタによって本体部１１０に取り付けられてもよい。以下、このような変形例２に係る照明装置について説明する。図１２は、変形例２に係る照明装置の外観斜視図である。
【００７８】
図１２に示されるように、照明装置２００は、照明用光源１０ａと、本体部２１０とを備える。
【００７９】
本体部２１０は、天井に固定具によって取り付けられる。本体部２１０は、照明用光源１０ａがはめ込まれる凹部２２０を有する。例えば、照明用光源１０ａが有する金具（図示せず）が、凹部２２０の内面に形成された孔と係合することで、照明用光源１０ａが本体部２１０に着脱自在可能に取り付けられる。また、本体部２１０から延設された電線の端部にはコネクタ２４０が設けられている。
【００８０】
照明用光源１０ａは、発光装置２０と筐体３０ａとを備える。筐体３０ａは、かまぼこ形の筐体であって、発光装置２０を収容する。筐体３０ａのうち発光装置２０の光出射側を覆う部分（湾曲した部分）は、カバーの一例であり、この部分は、ポリカーボネートなどの樹脂、または、ガラスなど透光性を有する材料によって形成される。この部分は、上記実施の形態で説明したような光拡散構造を有することにより、光拡散性を有してもよい。
【００８１】
筐体３０ａから延設された電線の端部にはコネクタ４０が設けられている。コネクタ４０がコネクタ２４０と嵌め合わされることで、本体部２１０から発光装置２０（照明用光源１０ａ）への交流電力の供給が可能となる。このように、コネクタ４０内の端子には、外部から交流電力を受ける第１受電端子及び第２受電端子が含まれる。
【００８２】
以上、変形例に係る照明装置２００及び照明用光源１０ａについて説明した、このような照明装置２００及び照明用光源１０ａも本発明に含まれる。
【００８３】
［効果等］
以上説明したように、発光装置２０は、交流電力を受ける第１端子２１及び第２端子２２と、複数の第１発光素子２３が直列接続された第１発光素子群であって、アノード端が第１端子２１に電気的に接続され、カソード端が第２端子２２に電気的に接続された第１発光素子群とを備える。また、発光装置２０は、複数の第２発光素子２４が直列接続された第２発光素子群であって、カソード端が第１端子２１に電気的に接続され、アノード端が第２端子２２に電気的に接続された第２発光素子群と、第１端子２１、第２端子２２、第１発光素子群、及び、第２発光素子群が配置された基板２５とを備える。第１発光素子群及び第２発光素子群は、第１発光素子群の少なくとも一部及び第２発光素子群の少なくとも一部が基板２５上において一方向に沿って配置された発光素子列を１列以上構成し、発光素子列において、第１発光素子２３及び第２発光素子２４は、１以上の所定個数ずつ交互に配置される。
【００８４】
これにより、発光装置２０は、明るさの不均一を抑制することができる。また、発光装置２０は、ユーザに与える違和感を低減することができる。
【００８５】
また、発光素子列は、透光性を有するカバー３０に向けて光を出射し、発光素子列において、第１発光素子２３及び第２発光素子２４は、１つずつ交互に配置されてもよい。発光素子列において隣り合う発光素子の間隔ｘは、発光素子列とカバー３０との距離をＬとすると、上記式１に示される関係を満たしてもよい。
【００８６】
これにより、第１発光素子２３のみが発光している期間、及び、第２発光素子２４のみが発光している期間のいずれにおいても、発光装置２０が発する光がカバー３０の全体に照射される。したがって、発光装置２０は、明るさの不均一を抑制することができ、ユーザに与える違和感を低減することができる。
【００８７】
また、発光素子列は、透光性を有するカバー３０に向けて光を出射し、発光素子列において、第１発光素子２３及び第２発光素子２４は、１つずつ交互に配置されてもよい。発光素子列において隣り合う発光素子の間隔ｘは、発光素子列とカバー３０との距離をＬとすると、上記式２に示される関係を満たしてもよい。
【００８８】
これにより、カバー３０の任意の位置は、第１発光素子２３のみが発光している期間、及び、第２発光素子２４のみが発光している期間のいずれにおいても、少なくとも２つの発光素子によって光が照射される。したがって、発光装置２０は、十分な均一性で発光することができる。
【００８９】
また、発光素子列において隣り合う発光素子の間隔ｘは、基板２５の厚みをｔとすると、ｘ≧２ｔとなってもよい。
【００９０】
これにより、発光装置２０は、基板２５において隣り合う発光素子の輻射熱の重なりを抑制して効率よく発光させることができる。
【００９１】
また、基板２５は、上記一方向を長手方向とする長尺状であってもよい。
【００９２】
これにより、長尺状の発光装置２０を実現することができる。
【００９３】
また、照明用光源１０は、交流電力を受ける第１受電端子４１及び第２受電端子４２と、上記発光装置２０と、発光装置２０の光出射側を覆う、透光性を有するカバー３０とを備える。
【００９４】
これにより、照明用光源１０は、明るさの不均一を抑制することができる。また、発光装置２０は、ユーザに与える違和感を低減することができる。
【００９５】
また、照明用光源１０において、発光素子列とカバー３０とが上記式１に示される関係を満たしてもよいし、上記式２に示される関係を満たしてもよい。
【００９６】
（その他の実施の形態）
以上、実施の形態に係る発光装置、照明用光源、及び、照明装置について説明したが、本発明は、このような実施の形態に限定されるものではない。
【００９７】
例えば、上記実施の形態では、直管ＬＥＤランプに用いられる発光装置について説明が行われた。しかしながら、本発明は、電球形ランプなどの他の照明用光源に用いられる発光装置として実現されてもよいし、ダウンライト、または、光源が取り外しできない光源一体型の照明装置などの他の照明装置に用いられる発光装置として実現されてもよい。また、他の照明用光源及び他の照明装置に用いられる発光装置が備える基板の形状は、適宜定められればよい。つまり、基板の形状は長尺状に限定されない。
【００９８】
また、上記実施の形態においては、発光素子としてＳＭＤ型のＬＥＤ素子が用いられた。しかしながら、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が発光素子として用いられてもよい。
【００９９】
また、上記実施の形態においては、発光装置は、ＳＭＤ型であったが、発光装置は、ＣＯＢ（Ｃｈｉｐ  Ｏｎ  Ｂｏａｒｄ）型であってもよい。
【０１００】
また、上記実施の形態においては、照明装置が有する発光素子の全てが１つの基板に配置されたが、照明装置が有する発光素子は、複数の基板に分かれて配置されてもよい。
【０１０１】
また、上記実施の形態において、発光装置は、青色光を発するＬＥＤと黄色蛍光体粒子を含有する蛍光体含有樹脂とを用いて白色光を出射したが、発光装置は、このような構成に限定されるものではない。発光装置は、例えば、青色光を発するＬＥＤと、赤色蛍光体粒子及び緑色蛍光体粒子を含有する蛍光体含有樹脂とを用いて白色光を出射してもよい。
【０１０２】
また、青色光を発するＬＥＤに代えて、青色光以外の光を発するＬＥＤが用いられてもよい。発光装置は、例えば、紫外光を発するＬＥＤチップと、紫外光によって励起されて三原色（赤色、緑色、青色）に発光する各色蛍光体粒子を含有する蛍光体含有樹脂とを用いて白色光を出射してもよい。発光装置には、蛍光体粒子以外の波長変換材が用いられてもよく、例えば、波長変換材として、半導体、金属錯体、有機染料、顔料など、ある波長の光を吸収し、吸収した光とは異なる波長の光を発する物質を含んでいる材料が用いられてもよい。
【０１０３】
以上、一つまたは複数の態様に係る発光装置、照明用光源、及び照明装置について、実施の形態及び変形例に基づいて説明したが、本発明は、上記実施の形態及び変形例に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１０４】
１０、１０ａ、１０ｍ、１０ｎ  照明用光源
２０、２０ａ、２０ｂ  発光装置
２１  第１端子
２２  第２端子
２３  第１発光素子
２４  第２発光素子
２５  基板
３０  カバー
４１  第１受電端子
４２  第２受電端子
【図１】
2018010800.tif 000009
【図２】
2018010800.tif 000010
【図３】
2018010800.tif 000011
【図４】
2018010800.tif 000012
【図５】
2018010800.tif 000013
【図６】
2018010800.tif 000014
【図７】
2018010800.tif 000015
【図８】
2018010800.tif 000016
【図９】
2018010800.tif 000017
【図１０】
2018010800.tif 000018
【図１１】
2018010800.tif 000019
【図１２】
2018010800.tif 000020